(57)【要約】【課題】  サーバに登録されているクライアントの自動削除を実現する。【解決手段】  任意のクライアント１０Ｄから登録の要求があったとき、その識別コードと、このときのアクセス日時とを管理テーブルに格納する(6)、(11)。クライアント１０Ｄからアクセスの要求があったとき、その識別コードが管理テーブルに格納されているかどうかをチェックする(13)。このチェックの結果、クライアント１０Ｄの識別コードが管理テーブルに格納されているときには、アクセスの要求に応じるとともに(14)、このときのアクセス日時により、管理テーブルにおけるクライアント１０Ｄのアクセス日時を更新する(15)。管理テーブルにおけるアクセス日時のうち、所定の期間ＴBLKを経過しているクライアントがあれば、その識別コードを削除して対応するクライアントの登録を抹消する(16)。【選択図】  図３
2005092388.tif 000002
【特許請求の範囲】
【請求項１】
クライアントの識別コードおよびそのアクセス日時を格納するための管理テーブルと、
この管理テーブルにおける上記識別コードを管理する管理部と、
上記管理テーブルを参照して上記クライアントを認証する認証部と、
上記アクセス日時を提供するための時計回路と
を有し、
クライアントから登録の要求があったとき、この登録を要求したクライアントの識別コードと、このとき上記計時回路の示すアクセス日時とを、上記管理部により上記管理テーブルに格納し、
クライアントからアクセスの要求があったとき、このアクセスを要求したクライアントを示す識別コードが上記管理テーブルに格納されているかどうかを、上記認証部によりチェックし、
このチェックの結果、上記アクセスを要求したクライアントを示す識別コードが上記管理テーブルに格納されているときには、上記アクセスの要求に応じるとともに、
このとき上記計時回路の示すアクセス日時により、上記管理テーブルにおける該当するクライアントのアクセス日時を更新する
ようにしたサーバ装置であって、
上記管理テーブルにおけるアクセス日時のうち、所定の期間を経過しているクライアントの識別コードのうちの少なくとも１つを削除して対応するクライアントの登録を抹消する
ようにしたサーバ装置。
【請求項２】
請求項１に記載のサーバ装置において、
上記クライアントからアクセスの要求があったとき、上記管理テーブルに登録されているクライアントの数をチェックし、
この登録されているクライアントの数が規定値に達しているとき、上記管理テーブルにおけるアクセス日時のうち、所定の期間を経過しているクライアントの識別コードのうちの少なくとも１つを削除して対応するクライアントの登録を抹消する
ようにしたサーバ装置。
【請求項３】
クライアントの識別コードおよびそのアクセス日時を格納するための管理テーブルと、
この管理テーブルにおける上記識別コードを管理する管理部と、
上記管理テーブルを参照して上記クライアントを認証する認証部と、
上記アクセス日時を提供するための時計回路と
を有し、
クライアントから登録の要求があったとき、上記管理テーブルに登録されているクライアントの数をチェックし、
このチェックの結果、上記管理テーブルに登録されているクライアントの数が規定値に達していないときには、上記登録を要求してきたクライアントの識別コードと、このとき上記時計回路の示すアクセス日時とを、上記管理部により上記管理テーブルに格納し、
上記チェックの結果、上記管理テーブルに登録されているクライアントの数が上記規定値に達しているときには、上記管理テーブルに登録されているアクセス日時と、上記時計回路の示すアクセス日時とを比較して最後のアクセス日時から所定の期間を経過しているクライアントの識別コードを検索し、
この検索結果のうちの少なくとも１つを削除して対応するクライアントの登録を抹消するとともに、
上記登録を要求してきたクライアントの識別コードおよびこのとき上記時計回路の示すアクセス日時を上記管理テーブルに登録する
ようにしたサーバ装置。
【発明の詳細な説明】
【技術分野】
【０００１】
この発明は、クライアント・サーバシステムにおけるサーバ装置に関する。
【背景技術】
【０００２】
一般家庭におけるインターネット接続環境がブロードバンド化されるのにともない、家庭でも映像や音楽を含むデジタルコンテンツの配信サービスを利用できるようになりつつある。また、パーソナルコンピュータによるインターネット接続の共有を目的として、無線ＬＡＮなどによるホームネットワークの普及も著しい。さらに、音楽ＣＤ、液晶テレビ、ハードディスクレコーダ、デジタルカメラ、デジタルビデオカメラなどによりデジタルコンテンツが家庭内に豊富に存在するようにもなってきている。
【０００３】
そこで、これらのデジタルコンテンツを、そのデジタルコンテンツ用に設計された専用の機器で利用するだけでなく、ネットワークに接続された他のＣＥ機器、例えばパーソナルコンピュータ、ＡＶ機器、ＰＤＡ、携帯電話などでも相互に利用することが考えられる。そして、その相互利用の方法として、デジタルコンテンツを、いわゆるＩＰパケット（正式には、ＩＰデータグラムと呼ばれる）を介してストリーミング伝送することが考えられる。
【０００４】
その場合、デジタルコンテンツを提供および送信する機器はサーバとして機能し、デジタルコンテンツを受信および利用する機器はクライアントとして機能することになるが、サーバとクライアントとの間でＩＰパケットを介してデジタルコンテンツのストリーミング伝送を行う場合には、クライアントの認証を行うことが規定されている。
【０００５】
このクライアントの認証は、
・ＣＤからリッピングした音楽
・地上波アナログ放送の動画
・デジタルカメラなどにより個人が記録した静止画や動画
などのデジタルコンテンツを対象とし、プライバシ保護および著作権保護を目的としている。
【０００６】
そして、サーバは、あらかじめ登録されているクライアントに対してのみデジタルコンテンツへのアクセスおよびストリーミングを許可するように、ＭＡＣアドレスによるフィルタリングを実装しなければならない。また、サーバに登録できるクライアントの数、すなわち、クライアントの許容最大登録数も制限される。
【０００７】
なお、サーバに登録されているクライアントを特定するための方法として、ＭＡＣアドレスを使用する方法以外にも、クライアントにつけられているニックネームを使用する方法があるが、ＭＡＣアドレスにせよニックネームにせよ、一般には、クライアントの本体に表示されているわけではなく、クライアントを操作してディスプレイに表示させなければ、ユーザは知ることができない。
【０００８】
さらに、セキュアではないネットワークにおける通信のために、通信相手の認証を行う必要もある。この通信相手を認証する方法として、あらかじめオーソライズされた機器のＭＡＣアドレスを記憶しておき、通信のたびに相手のＭＡＣアドレスを確認するという方法が用いられる。この場合、正しい通信相手のＭＡＣアドレスを記憶するため、通信相手をオーソライズする仕組みと、オーソライズされた機器からＭＡＣアドレスを通信する仕組みとが必要である。
【０００９】
これをなるべく少ないユーザ操作で行うことを実現し、かつ、正しくない相手を登録することのないようにするものが、「機器認識プロトコル」である。この機器認識プロトコルにおいては、ユーザがオーソリティの役割を果たし、認証される機器に対してユーザシグナルを発行することで機器をオーソライズする。これは、機器のボタンを押すなどの容易な実現手段を用いて行うことが可能である。
【００１０】
図６は、クライアント１０をサーバ２０に登録するときに実行される機器認証プロトコルの動作を示す。なお、登録の方法には、手動登録と自動登録とがあるが、この例においては、手動登録の場合である。すなわち、
(1) ユーザはクライアント１０を操作してサーバ２０に登録を要求する。  
(2) このとき、クライアント１０は(1)項の要求に対して各種の表示などを行ってユーザに応答する。  
(3) クライアント１０は、自分のＭＡＣアドレスをサーバ２０に送信し、そのＭＡＣアドレスの登録を要求する。この登録の要求は、所定の期間にわたって繰り返し実行する。  
(4) ユーザはサーバ２０に対して、(3)項の登録の要求を認めるように要求する。  
(5) このとき、サーバ２０は(4)項の要求に対して各種の表示を行うことによりユーザに応答する。  
(6) サーバ２０は、(5)項までが正常に実行されたら、(3)項により送信されてきたＭＡＣアドレスを、クライアント１０を認証するための識別コードとして管理テーブルに登録する。  
なお、上記(1)〜(6)項の操作あるいは処理においては、それぞれ必要な情報がディスプレイに表示される。
【００１１】
図７は、サーバ２０に３台のクライアント１０Ａ〜１０Ｃを登録する場合を示す。この場合には、サーバ２０とクライアント１０Ａとの間で、(1)〜(6)項を実行してクライアント１０ＡのＭＡＣアドレスMAC_Aをサーバ２０に登録する。同様に、サーバ２０とクライアント１０Ｂ、１０Ｃとの間で、(1)〜(6)項をそれぞれ実行してクライアント１０Ｂ、１０ＣのＭＡＣアドレスMAC_B、MAC_Cをサーバ２０に登録する。
【００１２】
以上がクライアントのサーバへの登録である。この登録の結果、サーバはクライアントからデジタルコンテンツの配信を要求されたとき、そのクライアントを認証できることになり、したがって、クライアントはサーバからＩＰパケットを介してデジタルコンテンツのストリーミング伝送を行うことができる。
【００１３】
なお、先行技術文献として例えば下記の文献がある。
【特許文献１】特開２００２−３５１７５９号公報
【発明の開示】
【発明が解決しようとする課題】
【００１４】
ところで、サーバにクライアントを登録すると、そのクライアントは、使われなくなってもサーバに登録されたままとなる。このため、サーバへのクライアントの登録数は増加する一方となり、サーバの許容最大登録数に達する前に、あるいは達したときに、ユーザはクライアントを明示的に削除する必要がある。
【００１５】
この削除の操作は、ユーザが、該当するクライアントを削除しても問題がないかどうかを確認しながら行う必要がある。あるいは、すべて削除したのち、あらためて必要なクライアントを登録しなおす必要がある。しかし、そのような操作はかなり面倒である。特に、手動操作により登録を行うクライアントを誤って削除してしまうと、より面倒になってしまう。
【００１６】
この発明は、このような問題点を解決しようとするものである。
【課題を解決するための手段】
【００１７】
この発明においては、
クライアントの識別コードおよびそのアクセス日時を格納するための管理テーブルと、
この管理テーブルにおける上記識別コードを管理する管理部と、
上記管理テーブルを参照して上記クライアントを認証する認証部と、
上記アクセス日時を提供するための時計回路と
を有し、
クライアントから登録の要求があったとき、この登録を要求したクライアントの識別コードと、このとき上記計時回路の示すアクセス日時とを、上記管理部により上記管理テーブルに格納し、
クライアントからアクセスの要求があったとき、このアクセスを要求したクライアントを示す識別コードが上記管理テーブルに格納されているかどうかを、上記認証部によりチェックし、
このチェックの結果、上記アクセスを要求したクライアントを示す識別コードが上記管理テーブルに格納されているときには、上記アクセスの要求に応じるとともに、
このとき上記計時回路の示すアクセス日時により、上記管理テーブルにおける該当するクライアントのアクセス日時を更新する
ようにしたサーバ装置であって、
上記管理テーブルにおけるアクセス日時のうち、所定の期間を経過しているクライアントの識別コードのうちの少なくとも１つを削除して対応するクライアントの登録を抹消する
ようにしたサーバ装置
とするものである。
【発明の効果】
【００１８】
この発明によれば、ユーザが削除の対象となるクライアントを探したり、ＭＡＣアドレスなどの識別コードを確認して削除したりする手間をなくすことができる。また、すべてのクライアントを削除して有効なクライアントだけを再登録する手間もなくすことができる。
【発明を実施するための最良の形態】
【００１９】
・クライアントの登録が手動登録の場合
図１は、この発明によるクライアント・サーバシステムの一例を示し、この例においては、サーバにクライアントを登録するとき、その登録をユーザが手動で行う場合である。また、複数Ｎ台のクライアント１０Ａ、１０Ｂ、・・・、１０Ｎがサーバ２０に接続されて家庭内ＬＡＮなどのネットワーク３０を構成している場合である。
【００２０】
そして、サーバ２０は、コンテンツ蓄積部２１と、ネットワークインターフェイス回路２２と、制御部２３とを有する。この場合、コンテンツ蓄積部２１は、例えばＨＤＤにより構成され、音楽や動画などのストリーミング伝送されるデジタルコンテンツを蓄積している。また、ネットワークインターフェイス回路２２は、サーバ２０とクライアント１〜Ｎとの間を例えばＴＣＰ／ＩＰ方式により接続し、ＩＰパケットを介してデジタルコンテンツの伝送を実現するためのものである。
【００２１】
また、制御部２３は、図示はしないが、ＣＰＵやユーザインターフェイスなどを有するコンピュータにより構成され、コンテンツ蓄積部２１およびネットワークインターフェイス回路２２を制御するとともに、後述する各部の動作を制御してサーバ２０の全体の動作を管理および制御するものである。
【００２２】
さらに、サーバ２０は管理部２４および認証部２５を有する。管理部２４は、クライアント１０Ａ〜１０ＮのＭＡＣアドレスを管理するものであり、このため、例えば図２Ａに示すような管理テーブルREGTBLを有する。この管理テーブルREGTBLは、クライアントの登録を行うと、そのＭＡＣアドレスと、そのアクセス日時（登録日時）とを保持するものであり、図２Ａは、クライアント１、３のＭＡＣアドレスMAC_A、MAC_Cおよびそのアクセス日時を保持している場合である。
【００２３】
また、認証部２５は、管理部２４により管理されているＭＡＣアドレスにしたがってクライアントの認証を行うものである。なお、管理部２４および認証部２５は、実際には、制御部２３を構成するコンピュータが所定のプログラムを実行することにより実現されるものであるが、ここでは、ハードウェアとして表現している。
【００２４】
さらに、サーバ２０は、時計回路２６およびタイマ回路２７を有する。この場合、時計回路２６は一般のサーバにも設けられているものであり、日付および時刻を計時するものであるが、タイマ回路２７は所定の期間τを計時するためのものである。なお、一例として、τ＝数分である。また、このタイマ回路２７も、実際には制御部２３を構成するコンピュータが所定のプログラムを実行することにより実現されるものである。
【００２５】
このような構成において、例えばクライアント１０Ｄが未登録であり、このクライアント１０Ｄを手動によりサーバ２０に登録する場合であれば、クライアント１０Ｄをネットワーク３０を通じてサーバ２０に接続し、図３にも示すように、(1)〜(6)項の処理を実行してクライアント１０Ｄをサーバ２０に登録する。
【００２６】
このとき、管理部２４により、図２Ｂに示すように、クライアント１０ＤのＭＡＣアドレスMAC_Dが管理テーブルREGTBLに書き込まれて(6)項の登録が実現されるとともに、時計回路２６から日付および時刻が読み出され、その登録日および登録時刻が、管理テーブルREGTBLにアクセス日時として書き込まれる。なお、図３における符号(11)は、このアクセス日時の書き込みを示す。
【００２７】
また、クライアント１０Ｄがサーバ２０にＩＰパケットを介するデジタルコンテンツの送信を要求すると、このとき、図３に符号(12)として示すように、クライアント１０ＤのＭＡＣアドレスMAC_Dがサーバ２０に送信される。そして、サーバ２０に送信されたＭＡＣアドレスMAC_Dは、認証部２５により管理テーブルREGTBLに登録されているかどうかがチェックされる。つまり、図３に符号(13)として示すように、認証が行われる。
【００２８】
この認証の結果、クライアント１０Ｄが登録されていない場合には、クライアント１０Ｄからのデジタルコンテンツの送信の要求は無視される。しかし、今の場合、クライアント１０Ｄはサーバ２０に登録されているので、要求されたデジタルコンテンツが、コンテンツ蓄積部２１から順次取り出され、図３に符号(14)として示すように、クライアント１０Ｄへと送信される。したがって、クライアント１０Ｄにおいては、サーバ２０から伝送されてくるデジタルコンテンツを利用できることになる。
【００２９】
また、サーバ２０はクライアント１０Ｄにデジタルコンテンツを送信している期間、図３に符号(15)として示すように、管理テーブルREGTBLにおけるクライアント１０Ｄのアクセス日時を、タイマ回路２７の計時する期間τごとに更新する。
【００３０】
以上の処理(12)〜(15)は、任意の登録済みのクライアントからサーバ２０にデジタルコンテンツの送信の要求があり、サーバ２０からそのクライアントにデジタルコンテンツを送信するごとに実行される。
【００３１】
さらに、サーバ２０は、管理テーブルREGTBLに格納されているクライアント１０Ｄのアクセス日時（これは最後の更新日時でもある）と、時計回路２８の計時する現在の日時とを比較することにより、クライアント１０Ｄが最後にアクセスした日時から、所定の期間ＴBLK、例えばＴBLK＝１か月が経過したかどうかをチェックする。
【００３２】
そして、期間ＴBLKが経過していないときには、何もしないが、期間ＴBLKが経過しているときには、図３に符号(16)として示すように、管理テーブルREGTBLに登録されているクライアント１０ＤのＭＡＣアドレスMAC_Dを削除してクライアント１０Ｄの登録を抹消する。今の場合、管理テーブルREGTBLは、図２Ａの内容となる。
【００３３】
また、管理テーブルREGTBLに登録されている他のクライアントについても、同様のチェックを行い、最後にアクセスした日時から所定の期間ＴBLKが経過しているクライアントについては、そのＭＡＣアドレスを管理テーブルREGTBLから削除してそのクライアントの登録を抹消する。
【００３４】
こうして、上述のシステムにおいては、クライアントが所定の期間ＴBLKに一度もサーバ２０にアクセスしない場合には、そのクライアントのサーバにおける登録が抹消されるので、サーバへのクライアントの登録数を抑えることができる。そして、その場合、クライアントの登録の抹消は自動的に行われるので、ユーザは面倒な操作をする必要がない。しかも、そのために、特別のハードウェアをサーバ２０やクライアント１０Ａ〜１０Ｎに設ける必要もない。
【００３５】
なお、上述においては、処理(15)として示すように、サーバ２０がクライアントにデジタルコンテンツを送信している期間には、サーバ２０はそのクライアントのアクセス日時を期間τごとに更新する場合であるが、デジタルコンテンツの送信を開始するときに、あるいは終了したときに、そのクライアントのアクセス日時を更新するようにしてもよい。
【００３６】
また、上述においては、処理(16)として示すように、所定の期間ＴBLKに一度もサーバ２０にアクセスしないクライアントは、そのＭＡＣアドレスを無条件で管理テーブルREGTBLから削除しているが、削除することを表示してユーザの確認ないし同意を得るようにすることもできる。さらに、サーバ２０に対するクライアントの登録数が、規定値に達した場合に、最後のアクセス日時から期間ＴBLKを経過したクライアントを削除することもできる。また、ＭＡＣアドレスに代わってニックネームなどをクライアントを識別するための識別コードとして使用することもできる。
【００３７】
・クライアントの登録が自動登録の場合
図４および図５は、この発明の他の例における登録および削除のシーケンスを示し、この例においては、サーバにクライアントを登録するとき、その登録が自動的に行われる場合である。また、この例においても、図１に示すように、複数Ｎ台のクライアント１０Ａ、１０Ｂ、・・・、１０Ｎがサーバ２０に接続されて家庭内ＬＡＮなどのネットワーク３０を構成している場合である。
【００３８】
そして、図１にも示すように、サーバ２０は手段２１〜２７を有し、管理部２４は、例えば図２Ａに示すような管理テーブルREGTBLを有するとともに、サーバ２０に登録できるクライアントの数、すなわち、許容最大登録数Ｃmaxも管理する。
【００３９】
そして、この自動登録の場合には、図４に符号(21)として示すように、ユーザは、サーバ２０にアクセスしてサーバ２０に許容最大登録数Ｃmaxを設定する。
【００４０】
すると、以後、符号(22)として示すように、ユーザが任意のクライアント１０ｉ（ｉ＝Ａ〜Ｎのいずれか）を操作すると、符号(23)として示すように、そのクライアント１０のＭＡＣアドレスMAC_iがサーバ２０に送信され、符号(24)として示すように、管理テーブルREGTBLに登録される。なお、このとき、時計回路２６の示す現在日時もアクセス日時として、ＭＡＣアドレスMAC_iとペアで管理テーブルREGTBLに書き込まれる。
【００４１】
こうして、任意のクライアントｉをサーバ２０に登録することができ、残る他のクライアントもサーバ２０に同様に登録することができる。なお、クライアントの登録数が増加して管理部２４の管理する許容最大登録数Ｃmaxに達したときには、ユーザがその許容最大登録数Ｃmaxを再設定することが可能とされる。ただし、この許容最大登録数Ｃmaxは、サーバ２０に対して定められている絶対的な上限値Ｃlim（Ｃlim≧Ｃmax）を越えることはできない。
【００４２】
しかし、クライアントのサーバ２０への登録数が増加すると、その登録数が上限値Ｃlimに達してしまうが、この場合には、図５に示すような流れで不要と思われるクライアントの登録が抹消される。すなわち、図５に符号(23)として示すように、例えばクライアント１０Ｄが登録されるとき、サーバ２０への登録数が上限値Ｃlimに達していたとすれば、符号(31)として示すように、サーバ２０は、管理テーブルREGTBLに格納されているクライアントのアクセス日時（これは最後の更新日時である）のうち、所定の期間ＴBLKの経過したものを検索する。
【００４３】
そして、期間ＴBLKの経過したクライアントがある場合には、符号(32)として示すように、そのうちのアクセス日時が最も古いものを管理テーブルREGTBLから消去して該当するクライアントを削除する。そして、その後、符号(33)として示すように、アクセス(23)のあったクライアント１０ＤのＭＡＣアドレスMAC_Dを管理テーブルREGTBLに書き込んで登録し、符号(34)として示すように、アクセス日時を管理テーブルREGTBLに書き込む。
【００４４】
また、期間ＴBLKの経過したクライアントがない場合には、符号(35)として示すように、管理テーブルREGTBLに登録されているクライアントのうち、アクセス日時が最も古いクライアントの削除の可否をユーザに対して問い合わせる。
【００４５】
そして、ユーザから削除を認める回答があったときには、符号(36)として示すように、管理テーブルREGTBLのＭＡＣアドレスのうち、アクセス日時が最も古いものを管理テーブルREGTBLから消去して該当するクライアントを削除し、その後、符号(33)、(34)として示すように、アクセス(23)のあったクライアント１０ＤのＭＡＣアドレスMAC_Dおよびアクセス日時を管理テーブルREGTBLに書き込む。また、問い合わせ(35)に対して削除を認めない回答があったときには、クライアント１０Ｄの登録を無視し、次のジョブ待ちとなる。
【００４６】
したがって、この自動登録の場合にも、サーバへのクライアントの登録数を抑えることができるとともに、クライアントの削除は自動的に行われるので、ユーザは面倒な操作をする必要がない。しかも、そのために、特別のハードウェアをサーバ２０やクライアント１０Ａ〜１０Ｎに設ける必要もない。
【００４７】
なお、上述において、処理(31)において、管理テーブルREGTBLのＭＡＣアドレスのうち、アクセス日時が最も古いものを管理テーブルREGTBLから消去して該当するクライアントを削除することもできる。また、処理(32)においても、該当するクライアントの削除の可否を問い合わせ、その結果にしたがうようにすることもできる。さらに、ＭＡＣアドレスに代わってニックネームなどをクライアントを識別するための識別コードとして使用することもできる。
【００４８】
また、上述においては、サーバへのクライアントの登録を手動登録する場合と自動登録する場合とに分けて説明したが、これらを併用することもできる。そして、その場合には、自動登録用の管理テーブルと手動登録用の管理テーブルとを別個に用意してもよく、あるいは１つの管理テーブルを双方で利用するようにしてもよい。
【００４９】
〔略語の一覧〕
ＡＶ  ：Audio and Visual
ＣＤ  ：Compact Disc
ＣＥ  ：Consumer Electronics
ＣＰＵ：Central Processing Unit
ＨＤＤ：Hard Disk Drive
ＩＰ  ：Internet Protocol
ＭＡＣ：Media Access Control address
ＰＤＡ：Personal Digital Assistant
TCP/IP：Transmission Control Protocol/Internet Protocol
【図面の簡単な説明】
【００５０】
【図１】この発明の一形態を示す系統図である。
【図２】この発明を説明するための図である。
【図３】この発明の一形態を示すシーケンス図である。
【図４】この発明を説明するためのシーケンス図である。
【図５】この発明の他の形態を示すシーケンス図である。
【図６】この発明を説明するためのシーケンス図である。
【図７】この発明を説明するためのシーケンス図である。
【符号の説明】
【００５１】
１０Ａ〜１０Ｎ…クライアント、２０…サーバ、２１…コンテンツ蓄積部、２２…ネットワークインターフェイス回路、２３…制御部、２４…管理部、２５…認証部、２６…時計回路、２７…タイマ回路、３０…ネットワーク
【図１】
2005092388.tif 000003
【図２】
2005092388.tif 000004
【図３】
2005092388.tif 000005
【図４】
2005092388.tif 000006
【図５】
2005092388.tif 000007
【図６】
2005092388.tif 000008
【図７】
2005092388.tif 000009